(57)【要約】【課題】  移動が容易で、固定位置の変更が可能であり、効率的にしよう可能な移動式工業用扇風機を提供する。【解決手段】  フレーム１及び置物プレート２から構成され、扇風機３Ａを設置する。フレーム１は、二本の縁枠１１を含み、各縁枠１１上方はそれぞれ湾曲して最上枠に伸び、二本の最上枠間には固定桿１２が設置される。固定桿１２には穿孔１１２が穿設され、各縁枠にも穿孔１２１が穿設される。各縁枠下方には車輪１１３が設置され、且つ二本の最上枠上方に置物プレート２を固定し、縁枠１１上には別にフック桿を設置する。また扇風機３Ａには基台３が含まれ、その基台３には穿孔が設置され、固定部品で扇風機の基台３をフレーム１に固定する。これにより、基台３を逆吊してフレーム１の最上面もしくは基台３をフレーム１の側面に設置する。【選択図】    図１
0003102508.tif 000002
【実用新案登録請求の範囲】
【請求項１】
フレーム及び置物プレートから構成され、そこに扇風機を設置する移動式工業用扇風機であって、
フレームは、二本の縁枠を含み、各縁枠上方はそれぞれ湾曲して最上枠に伸び、二本の最上枠間には固定桿が設置され、固定桿には穿孔が穿設され、各縁枠にも穿孔が穿設され、各縁枠下方には車輪が設置され、且つ二本の最上枠上方に置物プレートを固定し、縁枠上には別にフック桿が設置され、
扇風機には基台が含まれ、その基台には穿孔が設置され、固定部品により扇風機の基台をフレームに固定することを特徴とする移動式工業用扇風機。
【考案の詳細な説明】
【技術分野】
【０００１】
本考案は、移動式工業用扇風機にする。
【背景技術】
【０００２】
工業用扇風機は、それぞれの作業場を局部的に温度を下げるもので、高速低温と排気の働きをする。作業場は常に移動するため自在に移動、且つ定位することが必要である。また、公知の工業用扇風機の構造は、ファンに脚台、もしくは底台が設置され、且つ一般的な脚フレーム構造の大部分は三脚で、一部が単桿で、下段が折畳桿の円形もしくは四角形の形状である。
【考案の開示】
【考案が解決しようとする課題】
【０００３】
しかしながら、底台の構造がこのように単桿と底板一体成型の場合、移動が不便であり、持ち上げて移動しなければならず、骨が折れる。
別に、工場内での作業の場合、当然工具及び部品を使用するが、一般的に扇風機を移動する際、他に工具箱及び部品箱を移動しなければならない。通風作業には色々移動しなければならず、その度に何度も往復する必要があり、非効率的である。
この他、工業用扇風機は、使用状況がそれぞれ異なるため、扇風機を逆吊もしくはフレーム側面に固定必要があり、時にはフレーム上に設置を変えなければならない。このため、工業用扇風機には固定位置が変更可能であることが必要である。
【０００４】
解決しようとする問題点は、底台の構造がこのように単桿と底板一体成型の場合、移動が不便であり、持ち上げて移動しなければならず、使用状況に応じて固定位置を変更できない点である。
また、移動の際、扇風機、工具、部品など、それぞれを別々に移動しなければならず、効率的でない点である。
【０００５】
したがって本考案の目的は、移動が容易で、固定位置の変更が可能であり、効率的にしよう可能な移動式工業用扇風機を提供することにある。
【課題を解決するための手段】
【０００６】
上述の目的を達成するために本考案の請求項に記載の移動式工業用扇風機は、主にフレーム及び置物プレートから構成され、そこに扇風機を設置する。そのうち、フレームは、二本の縁枠を含み、各縁枠上方はそれぞれ湾曲して最上枠に伸び、二本の最上枠間には固定桿が設置される。固定桿には穿孔が穿設され、各縁枠にも穿孔が穿設される。各縁枠下方には車輪が設置され、且つ二本の最上枠上方に置物プレートを固定し、縁枠上には別にフック桿を設置する。また扇風機には基台が含まれ、その基台には穿孔が設置され、固定部品で扇風機の基台をフレームに固定する。これにより、基台を逆吊してフレームの最上面もしくは基台をフレームの側面に設置する。
【０００７】
本考案の移動式工業用扇風機は、扇風機を必要に応じてフレームの適する位置に設置できるという利点を備える。
【考案を実施するための最良の形態】
【０００８】
以下、本考案の実施例を図面に基づいて説明する。
図１に示すように、本考案の実施例による移動式工業用扇風機は、フレーム１、置物プレート２を含み、そこに扇風機３を設置して実施する。
【０００９】
フレーム１は、二本の縁枠１１を含み、各縁枠１１上方はそれぞれ湾曲し、且つ最上枠１１１まで伸びる。二本の最上枠１１１側面には穿孔１１１１が設置され、その二本の最上枠１１１間には固定桿１２が設置される。固定桿１２には穿孔１２１が設置され、各縁枠１１にも穿孔１１２が設置される。また縁枠１１下方には車輪１１３が設置され、且つ二本の最上枠１１１上方には置物プレート２が固定される。縁枠１１条には別にフック桿１１４が設置され、二本の縁枠１１下方の間には横桿１１５が設置される。
【００１０】
また、置物プレート２は深さの浅いプレートであるが、多様に変化し、図面に示した形態だけではない。図中の置物プレート２下側面にはコの字型板２２が設置される。このコの字型板２２には穿孔２２１が穿設され、固定部品２１のネジ２１１及びナット２１２で固定する。
【００１１】
扇風機３は左右に回転し、上下に角度を調節する。扇風機３には電気コード３３である（当然、延長コードを連接することも可能である）。
【００１２】
図２に示すように、扇風機３を吊り下げ、且つ基台３１をフレーム１の二本の最上枠１１１間にある固定桿１２上に架設し、ネジ３２１を通して固定桿１２の穿孔１２１に通し、ナット３２２でネジ止めし、更に基台３１をフレーム１の二本の固定桿１２上に固定し、置物プレート２は固定部品２１のネジ２１１をコの字型板２２の穿孔２２１に通し、ナット２１２で最上枠１１１の穿孔に固定する。
【００１３】
使用時は、図３に示すように、置物プレート２には工具４と作業に必要な部品５をおき、扇風機３に設置されている車輪１１３で作業地点まで押し、扇風機３の電気コード３３を縁枠１１のフック桿１１４上に巻きつける。
【００１４】
図４に示すように、本考案の実施例の置物プレート２Ａは一層以上（二層もしくは多層）設置することが可能で、置物プレート２Ａの形態は図に示す限りではない。
図５に示すように、本考案の実施例では扇風機３Ａをフレーム１の縁枠１１側面に基台３１Ａを設置し（枠形態）、ネジ３２１を縁枠１１の穿孔１１２に通し、ナット（未提示）で止める。基台３１Ａをフレーム１の縁枠１１側面上に固定する。
【図面の簡単な説明】
【００１５】
【図１】本考案の一実施例による移動式工業用扇風機を示す分解図である。
【図２】本考案の一実施例による移動式工業用扇風機を示す組立図である。
【図３】本考案の一実施例による移動式工業用扇風機の使用状態を示す図である。
【図４】本考案の実施例で、工具置きプレートを追加設置した指示図である。
【図５】本考案の実施例で、側面に扇風機を設置した指示図である。
【符号の説明】
【００１６】
１  フレーム、２  置物プレート、２Ａ  置物プレート、３  基台、３Ａ  扇風機、４  工具、１１  縁枠、１２  固定桿、２１  固定部品、２２  コの字型板、３１Ａ  基台、３２  固定部品、３３  電気コード、１１１  最上枠、１１２  穿孔、１１３  車輪、１１４  フック桿、１１５  横桿、１２１  穿孔、２１１  ネジ、２１２  ナット、２２１  穿孔、３１１  穿孔、３２１  ネジ、３２２  ナット、１１１１  穿孔
【図１】
0003102508.tif 000003
【図２】
0003102508.tif 000004
【図３】
0003102508.tif 000005
【図４】
0003102508.tif 000006
【図５】
0003102508.tif 000007